(57)【要約】【課題】簡易な構成で電源ＯＮ時の無意味な発光を防止する。【解決手段】電源ＯＦＦ信号が入力された場合には、ステップＳ１１０にてＯＳＤ回路１４に対して黒画面を表示させるためのＯＳＤデータを例えば１秒間連続して出力するように指令する。黒画面を表示させる画像データを出力することにより、電源ＯＮ時に不要な発光が起こることが防止できる。ドライバ１２は、通常と同様の表示サイクルを実行すればよい。【選択図】図４
2008139675.tif 000002
【特許請求の範囲】
【請求項１】
放電ガスが充填された複数の表示セルが平面状に配置されたプラズマ表示パネルを備えるプラズマ表示装置において、
画像データを入力し当該画像データが指示する上記表示セルに壁電荷を蓄積する蓄積ステップと、上記壁電荷が蓄積された上記表示セルにおける表示放電によって生成した紫外線により蛍光体を発光させる発光ステップと、すべての上記表示セルの上記壁電荷を消去する消去ステップとからなる表示サイクルを上記プラズマ表示パネルに繰り返して行わせるドライバと、
リモコン受信器から入力された電源ＯＦＦ信号を検知し、上記プラズマ表示パネルに供給される電源をＯＦＦさせるとともに、当該電源をＯＦＦさせるにあたり、ＯＳＤ回路に対して当該ＯＳＤ回路が上記ドライバに複数の上記表示サイクルの期間にわたり上記プラズマ表示パネルに黒画面を表示させるＯＳＤデータを出力させるよう指示するマイコンとを具備することを特徴とするプラズマ表示装置。
【請求項２】
放電ガスが充填された複数の表示セルが平面状に配置されたプラズマ表示パネルを備えるプラズマ表示装置において、
画像データを入力し当該画像データが指示する上記表示セルに壁電荷を蓄積する蓄積ステップと、上記壁電荷が蓄積された上記表示セルにおける表示放電によって生成した紫外線により蛍光体を発光させる発光ステップと、すべての上記表示セルの上記壁電荷を消去する消去ステップとからなる表示サイクルを上記プラズマ表示パネルに繰り返して行わせる駆動手段と、
上記プラズマ表示パネルに供給される電源をＯＦＦするにあたり、上記駆動手段に少なくとも１回以上の上記表示サイクルの期間にわたり上記プラズマ表示パネルに黒画面を表示させる画像データを出力させる制御手段とを具備することを特徴とするプラズマ表示装置。
【請求項３】
ＯＳＤデータを上記駆動手段に出力するＯＳＤ回路が備えられるとともに、
上記制御手段は上記ＯＳＤ回路に対して上記プラズマ表示パネルに黒画面を表示させる画像データを出力させるよう指示することを特徴とする請求項２に記載のプラズマ表示装置。
【請求項４】
上記制御手段は、複数回の上記表示サイクルの期間にわたり上記プラズマ表示パネルに黒画面を表示させる画像データを出力させるよう指示することを特徴とする請求項２または請求項３のいずれかに記載のプラズマ表示装置。
【発明の詳細な説明】
【技術分野】
【０００１】
本発明はプラズマ表示装置に関し、放電ガスが充填され少なくともアドレス電極と表示電極とを有する複数の表示セルが平面状に配置されたプラズマ表示パネルを備えるプラズマ表示装置に関するものである。
【背景技術】
【０００２】
プラズマ表示装置においては、電源をＯＦＦする際に各セルに壁電荷が残る場合がある。このような場合、壁電荷が残ったセルにおいて電源をＯＮした際に表示放電が起こり、各セルが無意味な発光することとなる。これに対して、残留電荷消去回路を設け、当該残留電荷消去回路から電源ＯＦＦ時に壁電荷を消去するためのリーク信号をプラズマ表示パネルに出力させる技術が提案されている（特許文献１、参照。）。
【特許文献１】特開２００３−２６３１２６号公報
【発明の開示】
【発明が解決しようとする課題】
【０００３】
しかしながら、上述した技術においては電源ＯＦＦ時に壁電荷を消去するためのリーク信号を出力させるための残留電荷消去回路を通常のドライバに付加しなければならず、回路構成が複雑となるという問題があった。
本発明は、上記課題にかんがみてなされたもので、簡易な構成で電源ＯＮ時の無意味な発光を防止することができるプラズマ表示装置の提供を目的とする。
【課題を解決するための手段】
【０００４】
上記目的を達成するために請求項２にかかる発明は、放電ガスが充填され少なくともアドレス電極と表示電極とを有する複数の表示セルが平面状に配置されたプラズマ表示パネルを備えるプラズマ表示装置において、画像データを入力し当該画像データが指示する上記表示セルに壁電荷を蓄積する蓄積ステップと、上記壁電荷が蓄積された上記表示セルにおける表示放電によって生成した紫外線により蛍光体を発光させる発光ステップと、すべての上記表示セルの上記壁電荷を消去する消去ステップとからなる表示サイクルを上記プラズマ表示パネルに繰り返して行わせる駆動手段と、上記プラズマ表示パネルに供給される電源をＯＦＦするにあたり、上記駆動手段に少なくとも１回以上の上記表示サイクルの期間にわたり上記プラズマ表示パネルに黒画面を表示させる画像データを出力させる制御手段とを具備する構成としてある。
【０００５】
上記のように構成した請求項２の発明において、プラズマ表示装置には複数の表示セルが平面状に配置されたプラズマ表示パネルが備えられ、当該プラズマ表示パネルでは放電ガスが充填され複数の表示セルが平面状に配置される。駆動手段は画像データを入力し当該画像データに応じて上記プラズマ表示パネルを駆動させる。上記プラズマ表示パネルの駆動は、画像データを入力し当該画像データが指示する上記表示セルに壁電荷を蓄積する蓄積ステップと、上記壁電荷が蓄積された上記表示セルにおける表示放電によって生成した紫外線により蛍光体を発光させる発光ステップと、すべての上記表示セルの上記壁電荷を消去する消去ステップとからなる表示サイクルを繰り返すことにより行われる。
【０００６】
表示放電ステップにおいて上記表示電極による放電によって生成した紫外線により蛍光体を発光させることにより各表示セルが発光するが、蓄積ステップにおける上記壁電荷の蓄積が上記画像データの指示する上記表示セルのみを対象として行われるため、上記画像データに応じた各表示セルの発光制御をすることができる。各表示セルを例えばＲＧＢの要素色を個別に発光可能なものとすることによりカラー画像を上記プラズマ表示パネルにて表示することができる。上記表示サイクルが各フレームや各サブフレームごとに繰り返して行われるため、テレビジョン等の動画を上記プラズマ表示パネルにて表示することができる。また、各表示サイクルにおいては上記壁電荷を消去するための消去ステップが含まれるため、各表示サイクルにて新規の画像データを表示することができる。
【０００７】
制御手段は、上記プラズマ表示パネルに供給される電源をＯＦＦするにあたり、上記プラズマ表示パネルに黒画面を表示させる画像データを出力させる。この画像データを表示させる期間は、上記表示サイクルの少なくとも１回以上の期間とされる。このようにすることにより、黒画面を表示させる画像データによればいずれの上記表示セルにおいても発光が禁止されるため、上記蓄積ステップにて壁電荷が新たに蓄積されることはない。そして、黒画面を表示させる画像データを出力する期間を上記表示サイクルの少なくとも１回以上とすることにより、その間に必ず上記プラズマ表示パネルでは上記消去ステップが少なくとも一回は行われるようにすることができ、いずれの上記表示セルにおいても蓄積された壁電荷を消去することができる。
【０００８】
さらに、請求項３にかかる発明は、ＯＳＤデータを上記駆動手段に出力するＯＳＤ回路が備えられるとともに、上記制御手段は上記ＯＳＤ回路に対して上記プラズマ表示パネルに黒画面を表示させる画像データを出力させるよう指示する構成としてある。
上記のように構成した請求項３の発明においては、ＯＳＤデータを上記駆動手段に出力するＯＳＤ回路が備えられる場合には、このＯＳＤ回路に黒画面を表示させる画像データを出力させるようにする。
【０００９】
また、請求項４にかかる発明において、上記制御手段は、複数回の上記表示サイクルの期間にわたり上記プラズマ表示パネルに黒画面を表示させる画像データを出力させるよう指示する構成としてある。
【００１０】
上記のように構成した請求項４の発明では、複数回の上記表示サイクルの期間にわたり上記プラズマ表示パネルに黒画面を表示させることにより、複数回の上記消去ステップが行われるようにすることができる。上記表示セルの個数は膨大であるため一度の上記消去ステップにてすべての上記表示セルが適正に放電しない確率も存在するが、複数回の上記消去ステップによって確実にすべての上記表示セルを消去放電させることができる。
【００１１】
以上の構成をさらに具体化したプラズマ表示装置によっても本発明を実現することができ、その具体例として請求項１にかかる発明は、放電ガスが充填され少なくともアドレス電極と表示電極とを有する複数の表示セルが平面状に配置されたプラズマ表示パネルを備えるプラズマ表示装置において、画像データを入力し当該画像データが指示する上記表示セルに壁電荷を蓄積する蓄積ステップと、上記壁電荷が蓄積された上記表示セルにおける表示放電によって生成した紫外線により蛍光体を発光させる発光ステップと、すべての上記表示セルの上記壁電荷を消去する消去ステップとからなる表示サイクルを上記プラズマ表示パネルに繰り返して行わせるドライバと、リモコン受信器から入力された電源ＯＦＦ信号を検知し、上記プラズマ表示パネルに供給される電源をＯＦＦさせるとともに、当該電源をＯＦＦさせるにあたり、ＯＳＤ回路に対して当該ＯＳＤ回路が上記ドライバに複数の上記表示サイクルの期間にわたり上記プラズマ表示パネルに黒画面を表示させるＯＳＤデータを出力させるよう指示するマイコンとを具備する構成としてある。
【００１２】
かかる構成においても請求項２から請求項４の各発明の発明特定事項が含まれるため、請求項２から請求項４の各発明の単独または相乗的な作用効果が実現できることはいうまでもない。
【発明の効果】
【００１３】
請求項１および請求項２の発明によれば、簡易な構成で電源ＯＮ時の無意味な発光を防止することができるプラズマ表示装置を提供することができる。
請求項３の発明によれば、ＯＳＤ回路を有効利用することができ、特別な回路を追加しなくても済む。
請求項４の発明によれば、確実に発光を防止することができる。
【発明を実施するための最良の形態】
【００１４】
図１は、本発明の一実施形態にかかるプラズマ表示装置としてのプラズマテレビジョンの概略構成を示している。同図において、プラズマテレビジョン１０はプラズマ表示パネル（ＰＤＰ）１１とドライバ１２とマイコン１３とＯＳＤ回路１４とリモコン受信器１５と電源回路１６と映像処理回路１７とから構成されている。なお、図示しないがプラズマテレビジョン１０は、その他の構成としてチューナ回路等を具備している。マイコン１３は、図示しないＣＰＵとＲＡＭとＲＯＭを有し、このＣＰＵはＲＯＭに記憶された制御プログラムをＲＡＭに展開して実行することにより、プラズマテレビジョン１０を構成する各部の動作制御を実現させる。映像処理回路１７は、図示しないチューナ等から入力された画像データを調整し、ドライバ１２に出力する。ＯＳＤ回路１４は、画像データとしてのＯＳＤデータを記憶するＯＳＤメモリを有しており、マイコン１３の指示にしたがってＯＳＤデータを映像処理回路１７に出力する。
【００１５】
図２は、ＰＤＰ１１の一部断面を拡大して示している。同図において、ＰＤＰ１１には複数（図示は３個）の表示セル１１ａ，１１ａ，１１ａが備えられており、これらが表示面１１ｂにおいて平面状に配列させられている。各表示セル１１ａ，１１ａ，１１ａは独立した空間を有しており、各空間に放電ガスが充填されている。各表示セル１１ａ，１１ａ，１１ａの底部にはそれぞれアドレス電極Ｅａ，Ｅａ，Ｅａが設けられており、上記電源回路１６から電源が供給可能となっている。一方、各表示セル１１ａ，１１ａ，１１ａの表示面側にはそれぞれ対となる表示電極Ｅｓ１−Ｅｓ２，Ｅｓ１−Ｅｓ２，Ｅｓ１−Ｅｓ２が備えられている。
【００１６】
図３は、ＰＤＰ１１にて行われる表示サイクルの流れを示している。ドライバ１２がＲＧＢの各表示セル１１ａ，１１ａ，１１ａの電極Ｅａ，Ｅａ，Ｅａ，Ｅｓ１−Ｅｓ２，Ｅｓ１−Ｅｓ２，Ｅｓ１−Ｅｓ２に対して駆動電流を供給することにより、各表示セル１１ａ，１１ａ，１１ａにて表示サイクルが行われる。この表示サイクルは、各表示セル１１ａ，１１ａ，１１ａに壁電荷を蓄積する蓄積ステップと、壁電荷が蓄積された各表示セル１１ａ，１１ａ，１１ａにおける表示放電によって生成した紫外線により蛍光体を発光させる発光ステップと、すべての各表示セル１１ａ，１１ａ，１１ａの壁電荷を消去する消去ステップとから構成されている。
【００１７】
まず、蓄積ステップにおいては、アドレス電極Ｅａ，Ｅａ，Ｅａと表示電極Ｅｓ１−Ｅｓ２，Ｅｓ１−Ｅｓ２，Ｅｓ１−Ｅｓ２に高電圧を印加し、これらの間で放電ガスを暗放電（アドレス放電）させる。この放電によって、表示電極Ｅｓ１−Ｅｓ２，Ｅｓ１−Ｅｓ２，Ｅｓ１−Ｅｓ２近傍の壁面に壁電荷を蓄積させる。発光ステップにおいては、表示電極Ｅｓ１−Ｅｓ２，Ｅｓ１−Ｅｓ２，Ｅｓ１−Ｅｓ２間にスキャン電圧を印加することにより、表示電極Ｅｓ１−Ｅｓ２，Ｅｓ１−Ｅｓ２，Ｅｓ１−Ｅｓ２近傍の壁面に蓄積された壁電荷を結合させるための表示放電が行われる。この結合の際に放出されるエネルギーが紫外線として表示セル１１ａ，１１ａ，１１ａ内に放射され、表示セル１１ａ，１１ａ，１１ａの底面にそれぞれ設けられたＲＧＢの蛍光体にて当該紫外線がＲＧＢの波長に対応した可視光線に変換され、ＲＧＢ各色の可視光を各表示セル１１ａ，１１ａ，１１ａから発光させることができる。
【００１８】
表示放電を起こさせるスキャン電圧はパルス状に印加され、その周波数を調整することによって、各表示セル１１ａ，１１ａ，１１ａの発光強度（輝度）を調整することができる。なお、表示放電の際に表示電極Ｅｓ１−Ｅｓ２，Ｅｓ１−Ｅｓ２，Ｅｓ１−Ｅｓ２に逆極性のサステイン電圧を挿入することにより、安定した表示放電を実現させている。消去ステップにおいては、すべての表示電極Ｅｓ１−Ｅｓ２，Ｅｓ１−Ｅｓ２，Ｅｓ１−Ｅｓ２に消去電圧を印加することにより、暗放電を発生させ、その暗放電によって表示電極Ｅｓ１−Ｅｓ２，Ｅｓ１−Ｅｓ２，Ｅｓ１−Ｅｓ２近傍の壁面に蓄積された壁電荷を消去する。
【００１９】
映像処理回路１７から任意の画像データが入力されると、ドライバ１２が画像データに基づいて表示セル１１ａ，１１ａ，１１ａの発光の必要性の有無を判断し、発光の必要性がある表示セル１１ａ，１１ａ，１１ａのみにおいてアドレス放電を起こす駆動信号を生成する。例えば、表示セル１１ａ，１１ａ，１１ａによって赤色（例えば、Ｒ＝５０％，Ｇ＝Ｂ＝０％。）の表示を担当する画像データが入力された場合には、ＧＢチャンネルについては発光させる必要がないため、Ｒの表示セル１１ａのみアドレス放電が行われる。前回の表示サイクルの消去ステップにおいて、すべての表示セル１１ａ，１１ａ，１１ａの壁電荷が予め消去されているため、発光すべき表示セル１１ａ，１１ａ，１１ａにのみ壁電荷を蓄積させることができる。
【００２０】
従って、発光ステップにおいては、発光が不要な表示セル１１ａ，１１ａ，１１ａが発光しないこととなる。一方、壁電荷が蓄積された表示セル１１ａ，１１ａ，１１ａにおいては、画像データが示す色に応じてパルス周波数が調整されたスキャン電圧による表示放電が行われ、画像データに対応する強度のＲＧＢ光を発光させることができる。各表示セル１１ａ，１１ａ，１１ａによるＲＧＢ光の合成によってカラー画像を表現することができる。また、画像データを順次入力し、上述した表示サイクルを繰り返して行うことにより、テレビジョン放送のような動画を表示することができる。
【００２１】
図４は、マイコン１３が実行する電源ＯＦＦ処理の流れを示している。ステップＳ１００においては、マイコン１３がリモコン受信器１５からの電源ＯＦＦ信号の入力を監視する。電源ＯＦＦ信号が入力された場合には、ステップＳ１１０にてＯＳＤ回路１４に対して黒画面を表示させるためのＯＳＤデータを例えば１秒間連続して出力するように指令する。このＯＳＤデータは、各画素の色がすべて黒（Ｒ＝Ｇ＝Ｂ＝０％）の画像データであり、映像処理回路１７を介してドライバ１２に出力される。これを受けて、表示サイクルを繰り返し行っているドライバ１２は、蓄積ステップにていずれの表示セル１１ａ，１１ａ，１１ａにおいてもアドレス放電を発生させないような駆動信号を出力することとなる。黒（Ｒ＝Ｇ＝Ｂ＝０％）においてはいずれの表示セル１１ａ，１１ａ，１１ａにおいても発光させる必要がないからである。
【００２２】
従って、いずれの表示セル１１ａ，１１ａ，１１ａにおいても新たに壁電荷が蓄積されることはない。表示サイクルは、例えば３０〜６０ｆｐｓと高速であるため、当該ＯＳＤデータが１秒間連続して出力される間に、複数回の表示サイクルが繰り返されることとなる。従って、この間にドライバ１２は、表示サイクルに含まれる消去ステップも繰り返して行うこととなる。すなわち、当該ＯＳＤデータが出力される期間においては、新たに壁電荷を蓄積させるアドレス放電が行われないとともに、壁電荷を消去する消去ステップが複数回繰り返して行われることとなる。これにより、すべての表示セル１１ａ，１１ａ，１１ａにおいて確実に壁電荷を消去することができる。すなわち、表示セル１１ａ，１１ａ，１１ａはＰＤＰ１１に多数存在しているため、消去ステップにおける壁電荷を消去するための暗放電が行われない表示セル１１ａ，１１ａ，１１ａが発生する場合もあるが、１回だけでなく複数回の行われる消去ステップにより壁電荷が残存する表示セル１１ａ，１１ａ，１１ａの存在確率を低減させることができる。
【００２３】
ステップＳ１１０にて１秒間ＯＳＤデータを出力すると、ステップＳ１２０にてマイコン１３が電源回路１６に対して電源をＯＦＦさせるための信号を出力する。具体的には、電源回路１６には複数の種類の電源が備えられており、各電源を適切な順序でＯＦＦさせることによって、高電圧によるＰＤＰ１１の破損等を防止する。以上のようにして電源がＯＦＦされた段階では、いずれの表示セル１１ａ，１１ａ，１１ａにおいても壁電荷が蓄積されていないこととなる。従って、次回、電源をＯＮする際に表示電極Ｅｓ１−Ｅｓ２，Ｅｓ１−Ｅｓ２，Ｅｓ１−Ｅｓ２に何らかの電圧が印加された場合であっても、表示セル１１ａ，１１ａ，１１ａが不要に発光することが防止できる。
【００２４】
以上の説明したように電源をＯＦＦさせるにあたって、黒画面を表示させる画像データを出力することにより、電源ＯＮ時に不要な発光が起こることが防止できる。また、ドライバ１２は、通常と同様の表示サイクルを実行しているに過ぎないため、ドライバ１２等に新たな回路を追加する必要はない。すなわち、既存のＯＳＤ回路１４とマイコン１３のみの対応で本発明を実現することができるため、コストを増加させることもない。電源ＯＮ時に明るい画面が急に表示されることがないため、視聴者が安心して電源をＯＮさせることができる。
【図面の簡単な説明】
【００２５】
【図１】プラズマテレビジョンのブロック図である。
【図２】表示セルの断面図である。
【図３】表示サイクルのフローチャートである。
【図４】電源ＯＦＦ処理のフローチャートである。
【符号の説明】
【００２６】
１０…プラズマテレビジョン、１１…プラズマ表示パネル（ＰＤＰ）、１１ａ…表示セル、１１ｂ…表示面、１２…ドライバ、１３…マイコン、１４…ＯＳＤ回路、１５…リモコン受信器、１６…電源回路、１７…映像処理回路、Ｅａ…アドレス電極、Ｅｓ１，Ｅｓ２…表示電極。
【図１】
2008139675.tif 000003
【図２】
2008139675.tif 000004
【図３】
2008139675.tif 000005
【図４】
2008139675.tif 000006